【事件の表示】
　特願２０１０−１８８２２７「表示手段を備えた太陽光発電パネル又は太陽電池アレイ」拒絶査定不服審判事件〔平成２４年　３月　８日出願公開、特開２０１２−　４９２３２〕について、次のとおり審決する。
【結　論】
　本件審判の請求は、成り立たない。
【理　由】
第１　手続の経緯
　本願は、平成２２年８月２５日の出願であって、平成２６年２月１７日付けで拒絶理由が通知され、期間を指定して意見書を提出する機会を与えたが、指定期間内に請求人からは応答がなく、同年６月２６日付けで拒絶査定がされ、これに対し、同年１０月２０日付けで拒絶査定不服審判の請求がされるとともに、同時に手続補正がされたものである。
　
第２　平成２６年１０月２０日付けの手続補正についての補正却下の決定
［補正却下の決定の結論］
　平成２６年１０月２０日付けの手続補正（以下、「本件補正」という。）を却下する。
［理由］
１．本件補正について
　本件補正は、本件補正により補正される前の特許請求の範囲について、下記アを、下記イと補正するものを含む。
　ア　本件補正前（出願当初）の特許請求の範囲
「【請求項１】
太陽電池セルを複数接続して構成した太陽光発電パネルの動作状態を表示する発光体を用いて構成した動作表示手段を、該太陽光発電パネルの出力端子と電気的に接続し、該太陽光発電パネル若しくは該太陽光発電パネル近傍に設けて構成し、前記太陽光発電パネルの発電状態を外部から視認可能としたことを特徴とする動作表示手段を備えた太陽光発電パネル。
【請求項２】
太陽光発電パネルを複数接続して構成した太陽電池アレイの動作状態を表示する発光体を用いて構成した動作表示手段を、該太陽電池アレイの出力端子と電気的に接続し、該太陽電池アレイ若しくは該太陽電池アレイ近傍に設けて構成し、前記太陽電池アレイの発電状態を外部から視認可能としたことを特徴とする動作表示手段を備えた太陽電池アレイ。
【請求項３】
前記出力端子との電気的な接続に代えて、太陽電池セルに形成される各々の電極と接続された前記発光体を用いて構成した動作表示手段を、前記太陽電池セルとともに封止して構成し、
該動作表示手段の動作時には、
前記封止された状態で外部から前記発光体の発光が視認可能であることを特徴とする請求項１又は請求項２記載の太陽光発電パネル又は太陽電池アレイ。
【請求項４】
前記動作表示手段と電気的に接続されて該動作表示手段を駆動させるための操作スイッチ部を更に備え、
太陽光発電パネル又は太陽電池アレイの発電時において該操作スイッチ部が操作されたときに、
前記動作表示手段が駆動されて動作状態の表示がなされることを特徴とする請求項１乃至請求項３記載の内何れか１項に記載の太陽光発電パネル又は太陽電池アレイ。」
　 
　イ　本件補正後の特許請求の範囲
「【請求項１】
太陽電池セルを複数接続して構成した太陽光発電パネルの動作状態を表示する発光体を用いて構成した動作表示手段を備えた太陽光発電パネルであって、
前記太陽電池セルに形成される各々の電極と接続された前記発光体を用いて構成した前記動作表示手段を、前記太陽電池セルとともに封止して構成し、
該動作表示手段の動作時には、前記封止された状態で外部から前記発光体の発光が視認可能とする一方、
前記動作表示手段と電気的に接続されて該動作表示手段を駆動させるための操作スイッチとして人感センサを更に備え、
太陽光発電パネルの発電時において該人感センサからの出力信号が前記動作表示手段に入力されることにより、前記動作表示手段が駆動されて動作状態の表示がなされることを特徴とする太陽光発電パネル。
【請求項２】
請求項１記載の太陽光発電パネルを複数接続して構成し、
該太陽光発電パネル毎に、動作状態の表示がなされることを特徴とする太陽電池アレイ。」
　
２．新規事項の有無及び補正の目的要件　
　本件補正後の請求項１に係る補正は、本件補正前の請求項１を引用する請求項３をさらに引用する請求項４の太陽光発電パネルに係る発明において、「操作スイッチ」として「人感センサ」を備える点を限定するものであり、願書に最初に添付した明細書の【００５７】等の記載からみて、当初明細書に記載した事項の範囲内においてするものである。 
　そして、本件補正前の該請求項４に記載された発明と本件補正後の請求項１に記載された発明（以下、「本件補正発明」という。）の産業上の利用分野及び解決しようとする課題が同一であって、本件補正のうち、補正後の請求項１に係る補正は、特許法第１７条の２第５項第２号の特許請求の範囲の減縮を目的としたものに該当する。
　
　そこで、本件補正発明が特許出願の際独立して特許を受けることができるものであるか（特許法第１７条の２第６項において準用する同法第１２６条第７項の規定に適合するか）を、進歩性（特許法第２９条第２項）について検討する。
　
３．本件補正発明の進歩性について
（１）本件補正発明
　本件補正発明は、上記「１．イ」の請求項１に記載されたとおりのものと認める。
（２）引用文献１〜５の記載
　ア　引用文献１について
　原査定の拒絶理由に引用された、本願の出願前に頒布された刊行物である特開平９−１４８６１３号公報（以下、「引用文献１」という。）には、「非晶質太陽電池の製造方法」（発明の名称）について、次の記載がある（下線は当審が付与した。以下、同じ。）。
（引１ア）「【０００１】
【発明の属する技術分野】本発明は、出力低下を抑えるためのダイオードを有する太陽電池モジュールに関する。」
（引１イ）「【０００３】そして、一般に太陽電池モジュールを電力用として使用する場合、複数個のモジュールを直列接続して２００Ｖ以上のブロックを作り、このブロックを並列接続して太陽電池アレイを形成している。
【０００４】つぎに、
この種モジュールについて回路図を示した図６を参照して説明する
１は太陽電池モジュール、２はモジュール１に並列に接続されたバイパスダイオードであり、
【０００５】そして、通常、電流は図６の実線矢印に示すように、直列接続された複数個のモジュール１に流れるが、異常発生時、例えば同図の上側のモジュール１が故障した場合、下側のモジュール１からの電流は上側のモジュール１を通らず、バイパスダイオード２を通って次段のモジュール１に流れ、ブロックの出力の低下を抑えている。」
（引１ウ）「【０００８】本発明は、前記の点に留意し、
故障による異常が発生した際、ブロック中のどのモジュールが故障しているかを外部から目視により容易に特定でき、簡単に修理対応ができる太陽電池モジュールを提供する
（引１エ）「【００１１】
【発明の実施の形態】実施の形態について図１ないし図５を参照して説明する。
（形態１）形態１につき、図１ないし図３を参照して説明する。まず、回路図を示した図１において、図６と異なる点は、バイパスダイオード２に発光ダイオードからなる発光体３を直列接続し、この直列回路を太陽電池モジュール１に並列接続した点である。
【００１２】つぎに、
図１のモジュール１につき、
４は表面ガラス、５は表面ガラス４の下面に一体に形成されたエチレンビニルアセテートからなる封止剤、６は封止剤５の中に埋設された複数個の太陽電池セルであり、タブ
により直列接続され、
バイパスダイオード２に直列接続された発光体３が埋設されている。７は封止剤５の下面に貼り合わされた裏面フィルムであり、
【００１３】そして、モジュール作製時にバイパスダイオード２と発光体３との結線が行われている。」
（引１オ）「【００１４】そして、図３に示すように、住宅８の屋根９に、複数個の太陽電池モジュール１を設置し、
故障により異常が発生した場合、異常発生したモジュール１の発光体３及びバイパスダイオード２に電流が流れることにより、発光体３の発光を外部から目視することができ、異常発生したモジュール１を特定することができる。
（引１カ）図１
（引１キ）図２
（引１ク）図３
（引１ケ）図６
　
　イ　原査定の拒絶理由に引用された、本願の出願前に頒布された刊行物である特開２０００−７７６９７号公報（以下、「引用文献２」という。）には、「太陽光発電装置」（発明の名称）について、次の記載がある。
（引２ア）「【０００１】
【発明の属する技術分野】
本発明は、
太陽光発電装置に関し、
故障したソーラーセルの発見を容易にする技術に関する
（引２イ）「【００３１】次に、上記のように構成される太陽光発電装置の電気的な構成を説明する。図５は、本発明の
第１の実施の形態に係る太陽光発電装置
発電モジュール１０は、１２個のソーラーセル５２が直列に接続される
。各ソーラーセル５２には、バイパスダイオード６０及び発光ダイオード６１がそれぞれ並列に接続されている
【００３２】バイパスダイオード６０は、ソーラーセル５２が正常に動作している場合は逆バイアスになる。これにより、このバイパスダイオード６０に電流は流れない。同様に、発光ダイオード６１も、ソーラーセル５２が
正常に動作している場合は
発光ダイオード６１は点灯しない
保守者は、発光ダイオード６１が消灯されていることを確認することにより、ソーラーセル５２が正常であることを認識できる
【００３３】一方、ソーラーセル５２にオープンモードの故障が発生すると、バイパスダイオード６０は順バイアスになる。これにより、このバイパスダイオード６０に電流が流れる。従って、ソーラーセル５２にオープンモードの故障が発生しても発電モジュール１０からの出力が低下するだけでゼロになることはない。同様に、
ソーラーセル５２にオープンモードの故障が発生すると、
発光ダイオード６１は点灯する
保守者は、発光ダイオード６１が点灯されていることを確認することにより、ソーラーセル５２が故障していることを認識できる
（引２ウ）「【００３６】次に、本発明の
第２の実施の形態
【００３７】この太陽光発電装置の
発電ユニット１６は、複数の発電モジュール１０が直列に接続されることにより構成され
各発電モジュール１０には、バイパスダイオード７０及び発光ダイオード７１がそれぞれ並列に接続されている
【００３８】バイパスダイオード７０は、発電モジュール１０が正常に動作している場合、つまり
発電モジュール１０に含まれる１２個のソーラーセル５２の何れにも
故障がない場合は
保守者は、発光ダイオード７１が消灯されていることを確認することにより、発電モジュール１０が正常であることを認識できる
【００３９】一方、発電モジュール１０にオープンモードの故障が発生した場合、つまり発電モジュール１０内の何れかのソーラーセルセルがオープンモードの故障をした場合又は各セルアセンブリ４０の電極リードとこれらを接続するバスバー４１との間に断線が発生した場合は、バイパスダイオード７０は順バイアスになる。これにより、このバイパスダイオード７０に電流が流れる。同様に、発光ダイオード７１も発電モジュール１０が正常に動作している場合は順バイアスになる。これにより、この発光ダイオード７１に電流が流れるので、
発電モジュール１０にオープンモードの故障が発生した場合は発光ダイオード７１が点灯する
保守者は、発光ダイオード６１が点灯されていることを確認することにより発電モジュール１０が故障していることを認識できる
（引２エ）図５
（引２オ）図６
　
　ウ　原査定の拒絶理由に引用された、本願の出願前に頒布された刊行物である特開平８−９７４５６号公報（以下、「引用文献３」という。）には、「太陽電池発電装置」（発明の名称）について、次の記載がある。
（引３）「【０００７】
【発明が解決しようとする課題】前記
従来の太陽電池発電装置の場合、保守点検作業により故障した太陽電池パネル（故障パネル）１を発見するには、各太陽電池パネル１の出力を１枚ずつテスタ等で測定してそれぞれの状態を試験しなければならず、煩雑な作業が必要になる
【０００８】しかも、接続箱６の端子台にテスタのリードを接触等して測定する場合、接続箱６が各太陽電池パネル１の背面側に設けられているため、各太陽電池パネル１の配置等によっては接続箱６の開閉が難しく、作業が極めて困難になる。すなわち、従来装置の場合は故障パネルの発見が容易に行えず、保守点検作業等の簡素化，効率化等が図れない問題点がある。
【０００９】
本発明は、テスタ等を用いることなく、容易に故障パネルを発見し得るようにすることを目的とする
【００１０】
【課題を解決するための手段】前記の目的を達成するために、
請求項１に係る本発明の太陽電池発電装置においては、各太陽電池パネルそれぞれに逆並列接続された逆バイアス防止用バイパス兼状態表示用の発光ダイオードを備え
【００１１】また、請求項２に係る本発明の太陽電池発電装置においては、各太陽電池パネルそれぞれに、逆方向接続の逆バイアス用バイパスダイオードと，該ダイオードの順方向のバイパス電流により点灯する電球構成の状態表示灯との直列回路を並列接続する。
【００１２】さらに、
請求項３に係る本発明の太陽電池発電装置においては、各太陽電池パネルそれぞれに直列接続された順方向の発光ダイオード又は電球からなる状態表示灯と、太陽電池パネルと状態表示灯との直列回路それぞれに逆並列接続された逆バイアス防止用バイパスダイオードとを備え
【００１３】
【作用】前記のように構成された
請求項１に係る本発明の太陽電池装置の場合、
正常な太陽電池パネルの発光ダイオードは
消灯保持され、故障した太陽電池パネル（故障パネル）の発光ダイオードは、
点灯する。
【００１４】そのため、各太陽電池パネルの発光ダイオードの点灯，消灯の目視点検により、テスタ等を用いることなく、故障した太陽電池パネルが発見される。また、故障した太陽電池パネルは発光ダイオードのバイパス作用により、残りの太陽電池パネルの光起電力に基づく逆バイアスの印加が防止される。
【００１５】つぎに、請求項２に係る本発明の太陽電池発電装置の場合、故障した太陽電池パネルの状態表示灯のみが点灯し、この場合も各太陽電池パネルの状態表示灯の点灯，消灯から故障した太陽電池パネルが発見される。
【００１６】さらに、
請求項３に係る本発明の太陽電池発電装置の場合、正常な太陽電池パネルは、
状態表示灯が点灯し
故障した太陽電池パネルは、
状態表示灯が消灯する
　
　エ　原査定の拒絶理由に引用された、本願の出願前に頒布された刊行物である特開平１１−３３０５２１号公報（以下、「引用文献４」という。）には、「画像表示装置」（発明の名称）について、次の記載がある。
（引４ア）「【００５９】
【実施例】より具体的な太陽電池モジュール構成や太陽電池アレイ構成、および太陽光発電装置の実施例により、本発明をさらに詳細に説明する。
［実施例１］
図１２および１３は本発明の太陽電池モジュールの一例を示す平面図、概略透視図、回路図である
【００６０】
太陽電池素子１２０１の表面には集電電極１２０５が形成されており、各太陽電池素子１２０１はインターコネクタ１２０６によって図１３の回路図に示すように直列接続されて端子箱１２０７に導かれ、これにより、電気的出力が外部に取り出せる構造になっている
【００６１】１２０８は、
太陽電池素子１２０１を保護するためのバイパスダイオード
端子箱１２０７の中に実装されている
１２０９は外部から磁界を印加することで導通するリードスイッチ、１２１０は発光ダイオード１２１２と抵抗１２１３からなる電圧信号発生手段である
【００６２】
故障した太陽電池モジュールを特定する際には、日中の動作状態において、設置されている各太陽電池モジュールのリードスイッチ１２０９に永久磁石等で磁界を加えて検査を行なう。磁界を加えることにより発光ダイオード１２１２が点灯すれば正常であり、点灯しても通常よりも発光量が小さい場合や消灯している場合には、その太陽電池モジュールは故障していることが分かる。各太陽電池モジュールは、磁界を加えない通常動作時においては、全く電力を消費しない。
（引４イ）図１２
（引４ウ）図１３
　
　オ　本願出願前に頒布された刊行物である特開２００５−１０６３２３号公報（以下、「引用文献５」という。）には、「換気送風装置」（発明の名称）について、次の記載がある。
（引５ア）「【００１７】
　また、従来の換気送風装置では、
使用者の在不在に関わらずメンテナンスを促すように報知するため、近くに使用者が居ないときには無駄に報知することとなり報知に要するエネルギーの無駄を生じるという課題があり、近くに使用者がいるときのみメンテナンスを促すように報知することが要求されている
（引５イ）「【００４３】
　本発明の換気送風装置は上記目的を達成するために、
人感センサを備え、人感センサが人を検出した場合にのみメンテナンス報知手段が報知することとした
　
（３）引用文献１〜５に記載されている事項
　ア　引用文献１について
（ア）（引１ウ）から、引用文献１には、故障による異常が発生した際、ブロック中のどのモジュールが故障しているかを外部から目視により容易に特定でき、簡単に修理対応ができる太陽電池モジュールが記載されている。
（イ）（引１イ）から、該太陽電池モジュール１には、バイパスダイオード２が並列に接続されている。
（ウ）（引１エ）から、該太陽電池モジュール１は、表面ガラス４、表面ガラス４の下面に一体に形成されたエチレンビニルアセテートからなる封止剤５、封止剤５の中に埋設された複数個の太陽電池セル６、封止剤５の下面に貼り合わされた裏面フィルム７を有し、該複数個の太陽電池セル６は、タブにより直列接続されていて、バイパスダイオード２に発光体３が直列接続されており、該発光体３は封止剤５の中に埋設されている。
（エ）（引１イ）、（引１エ）及び（引１カ）から、引用文献１では、太陽電池モジュール１の回路部分のみに着目し、複数個の太陽電池セル６をタブにより直列接続されたもの自体も、太陽電池モジュール１と呼んでいることがわかる。
（オ）（引１オ）から、故障により異常が発生した場合、異常が発生した太陽電池モジュール１の発光体３及びバイパスダイオード２に電流が流れることにより、該発光体３が発光し、該発光を外部から目視することができることで、異常が発生した太陽電池モジュール１を特定することができる。
（カ）該太陽電池モジュール１の平面図及び切断正面図を示す（引１キ）からみて、該太陽電池モジュール１は、パネル状であることは明らかである。
（キ）以上のことを総合すると、引用文献１には、
「表面ガラス４と、
　表面ガラス４の下面に一体に形成されたエチレンビニルアセテートからなる封止剤５と、
　封止剤５中に埋設された、複数個の太陽電池セル６及び発光体３と、
　封止剤５の下面に貼り合わされた裏面フィルム７とを備えたパネル状の太陽電池モジュール１であって、
　複数個の太陽電池セル６は、タブにより直列接続され、
　該タブにより直列接続された複数個の太陽電池セル６には、バイパスダイオードが並列接続され、該バイパスダイオード２には、発光体３が直列接続されており、
　太陽電池モジュール１に故障により異常が発生した場合、故障による異常が発生した太陽電池モジュール１の発光体３及びバイパスダイオード２に電流が流れることにより、発光体３が発光し、該発光を外部から目視することで、該故障による異常が発生した太陽電池モジュール１を特定して、簡単に修理対応ができる太陽電池モジュール１。」（以下、「引用発明」という。）が記載されていると認められる。
　
　イ　引用文献２について
（ア）（引２ア）から、引用文献２には、太陽光発電装置において、故障したソーラーセルの発見を容易にする技術が記載されている。
（イ）（引２イ）から、「第１の実施形態」では、発電モジュール１０は、１２個のソーラーセル５２が直列に接続され、各ソーラーセル５２には、バイパスダイオード６０及び発光ダイオード６１がそれぞれ並列に接続されていて、ソーラーセル５２が正常に動作している場合は、発光ダイオード６１は消灯し、ソーラーセル５２にオープンモードの故障が発生すると、発光ダイオード６１が点灯することで、保守者が発光ダイオード６１が点灯されていることを確認することにより、ソーラーセル５２が故障していることを認識できることがわかる。
（ウ）（引２ウ）から、「第２の実施形態」では、発電ユニット１６は、複数の発電モジュール１０が直列に接続され、各発電モジュール１０には、バイパスダイオード７０及び発光ダイオード７１がそれぞれ並列に接続されていて、発電モジュール１０が正常に動作している場合は、発光ダイオード７１は消灯し、発電モジュール１０にオープンモードの故障が発生すると、発光ダイオード７１が点灯することで、保守者が発光ダイオード７１が点灯されていることを確認することにより、発電モジュール１０が故障していることを認識できることがわかる。
　
　ウ　引用文献３について
　引用文献３には、故障した太陽電池パネルをテスタ等を用いることなく、容易に発見するために太陽電池発電装置において、
（ア）各太陽電池パネルそれぞれに逆並列接続された逆バイアス防止用バイパス兼状態表示用の発光ダイオードを備え、正常な太陽電池パネルの発光ダイオードは消灯保持され、故障した太陽電池パネル（故障パネル）の発光ダイオードは点灯するようにすること（請求項１に係る発明）、及び、
（イ）各太陽電池パネルそれぞれに直列接続された順方向の発光ダイオード又は電球からなる状態表示灯と、太陽電池パネルと状態表示灯との直列回路それぞれに逆並列接続された逆バイアス防止用バイパスダイオードとを備え、正常な太陽電池パネルは状態表示灯が点灯し、故障した太陽電池パネルは状態表示灯が消灯するようにすること（請求項３に係る発明）が記載されていると認められる。
　
　エ　引用文献４について
　引用文献４の図１２、１３には、太陽電池モジュールが記載され、図１２からみて、該「太陽電池モジュール」は、パネル状であることは明らかである。
　また、【００６１】の記載及び図１３からみて、「リードスイッチ１２０９、発光ダイオード１２１２と抵抗１２１３」は直列に接続されて「電圧信号発生手段１２１０」を構成し、該「電圧信号発生手段１２１０」は、直列に接続された太陽電池素子１２０１及びバイパスダイオード１２０８に並列に接続されていて、「太陽電池モジュール」の近傍に設けられている。
　
　そうすると、引用文献４の図１２、１３には、
「パネル状の太陽電池モジュールにおいて、
　集電電極１２０５が表面に形成された太陽電池素子１２０１は、インターコネクタ１２０６によって直列接続され、端子箱１２０７に導かれて、電気的出力が外部に取り出せる構造になっていて、
　太陽電池素子１２０１を保護するためのバイパスダイオード１２０８が端子箱１２０７の中に実装されており、
　外部から磁界を印加することで導通するリードスイッチ１２０９、発光ダイオード１２１２及び抵抗１２１３が直列に接続された電圧信号発生手段１２１０を備え、
　該電圧発生手段１２１０は、直列に接続された太陽電池素子１２０１及びバイパスダイオード１２０８に並列に接続されて、太陽電池モジュールの近傍に設けられ、
　故障した太陽電池モジュールを特定する際に、各太陽電池モジュールは、磁界を加えない通常動作時においては、全く電力を消費しないようになっていて、各太陽電池モジュールのリードスイッチ１２０９に永久磁石等で磁界を加えて、発光ダイオード１２１２が点灯すれば正常であり、点灯しても通常よりも発光量が小さい場合や消灯している場合には、その太陽電池モジュールは故障していることで太陽電池モジュールが検査されるようにした太陽電池モジュール。」（以下、「引用発明４」という。）が記載されていると認められる。
　
　オ　引用文献５について
　引用文献５には、使用者の在不在に関わらずメンテナンスを促すように報知するため、近くに使用者が居ないときには無駄に報知することとなり報知に要するエネルギーの無駄を生じることから、近くに使用者がいるときのみメンテナンスを促すように報知することが要求されており、そのために、人感センサを備え、人感センサが人を検出した場合にのみメンテナンス報知手段が報知するようにすることが記載されていると認められる。
　
（４）対比
　本件補正発明と引用発明とを対比する。
　ア　引用発明の「太陽電池モジュール１」は、「タブにより直列接続された複数個の太陽電池セル６」を備えていて、パネル状であるから、引用発明の「太陽電池モジュール１」は、本件補正発明の「太陽電池セルを複数接続して構成した太陽光パネル」に相当する。
　イ　引用発明の「発光体３」は、「太陽電池モジュール１に故障による異常が発生した場合」に「発光」するから、動作状態を表示するものということができ、本件補正発明の「太陽光発電パネルの動作状態を表示する発光体」であって、該「発光体を用いて構成した動作表示手段」に相当する。
　また、該「発光体３」が、「太陽電池セル６」とともに、「封止剤５の中に埋設され」ていることは、本件補正発明の「前記発光体を用いて構成した前記動作表示手段を、太陽電池セルとともに封止して構成し」ているに相当する。
　さらに、該「発光体３」の「発光」は、「外部から目視することができ」ることは、本件補正発明の「前記封止された状態で外部から前記発光体の発光が視認可能とする」に相当する。
　ウ　そうすると、本件補正発明と引用発明とは、
　「太陽電池セルを複数接続して構成した太陽光発電パネルの動作状態を表示する発光体を用いて構成した動作表示手段を備えた太陽光発電パネルであって、
前記動作表示手段を、前記太陽電池セルとともに封止して構成し、
該動作表示手段の動作時には、前記封止された状態で外部から前記発光体の発光が視認可能とする一方、
太陽光発電パネル。」である点で一致し、次の相違点１〜３で相違する。
　
（相違点１）
　本件補正発明の「発光体」は、「太陽電池セルに形成される各々の電極と接続され」ているのに対し、引用発明の「発光体３」は、「太陽電池セルを複数接続して構成した太陽電池モジュール１」に接続されていて、「太陽電池セル」に形成される各々の電極とは接続されていない点。
　
（相違点２）
　本件補正発明の「太陽光発電パネルの動作状態」の「表示」、すなわち、「発光体」の「発光」は、「太陽光発電パネルの発電時」であるのに対し、引用発明の「発光体３」は、「太陽電池モジュール１」に「故障による異常が発生した場合」に発光するものであって、「太陽電池モジュール１」の発電時には発光しない点。
　
（相違点３）
　本件補正発明は、「前記動作表示手段と電気的に接続されて該動作表示手段を駆動させるための操作スイッチとして人感センサを更に備え、該人感センサからの出力信号が前記動作表示手段に入力されることにより、前記動作表示手段が駆動されて動作状態の表示がなされる」のに対し、引用発明の「発光体３」には、「操作スイッチ」としての「人感センサ」を備えていない点。
　
（５）判断
　相違点について検討する。
（相違点１について）
　引用発明の「発光体３」は、故障による異常が発生した「太陽電池セルを複数接続して構成した太陽電池モジュール１」を特定するものであるところ、「太陽電池モジュール１」は、「太陽電池セルを複数接続して構成」されるものであり、「太陽電池モジュール１」の故障は、個々の「太陽電池セル６」の故障にも起因することは明らかである。
　そして、上記（３）イ（イ）、（ウ）に示されるように、太陽電池セルの故障の特定を、個々の「太陽電池セル」（ソーラーセル）とすることも、「太陽電池セルを複数接続して構成した太陽電池モジュール」（ソーラーセルが直列に接続された発電モジュール）とすることも、いずれも公知であって、故障の特定を、「太陽電池セル」とするか、「太陽電池セルを複数接続して構成した太陽電池モジュール」とするかは、当業者が適宜決定する事項にすぎない。
　また、「太陽電池セル」に電極が形成されることは当業者にとって技術常識であって、「太陽電池セル」に「発光体３」を接続するにあたり、「太陽電池セル」に形成される各々の電極に「発光体３」が接続されることは明らかである。
　
　そうすると、本件補正発明の上記相違点１に係る発明特定事項は、当業者が容易に想到し得たことである。
　
（相違点２について）
　上記（３）ウ（ア）、（イ）に示されるように、太陽電池発電装置において、故障した太陽電池パネルを発見するために、太陽電池パネルに発光ダイオード等を設け、該発光ダイオードを、正常時には消灯し故障時には点灯するようにすること、及び、正常時に点灯し故障時には消灯するようにすることは、いずれも公知であって、引用発明の「発光体３」を、「故障による異常が発生した場合」に発光させるか、正常時の「太陽電池モジュール１」の「発電時」に発光させるかは、当業者が適宜決定する事項にすぎない。
　
　そうすると、本件補正発明の上記相違点２に係る発明特定事項は、当業者が容易に想到し得たことである。
　
（相違点３について）
　上記（３）エに示されるように、故障した太陽電池モジュールを特定する検査において、故障かどうかを表示する発光ダイオードにリードスイッチを設け、必要な時にのみ点灯させることは、周知である。
　また、太陽電池モジュールの近くに人がいない場合に、故障かどうかの表示を行ってもエネルギーが無駄となることは明らかであって、そのような近くに人がいない場合に表示を行うエネルギーの無駄をなくすために、人感センサを用いて、人感センサが人を検出した場合にのみ表示させることも、上記（３）オに示されるように、周知である。
　
　そうすると、引用発明において、故障による異常が発生した太陽電池モジュール１を特定は、その特定が必要な時のみに行えばいいことは明らかであり、しかも、「発光体３」について、近くに人がいない場合に、故障かどうかの表示を行ってもエネルギーが無駄となることも明らかであるから、引用発明の「発光体３」に「操作スイッチ」としての「人感センサ」を設け、本件補正発明の上記相違点３に係る発明特定事項を備えることは、当業者が容易に想到し得たことである。
　
（６）むすび
　以上のとおり、本件補正発明は、引用発明、引用文献２〜５に記載された事項及び周知技術に基いて、当業者が容易に発明をすることができたものであるから、特許法第２９条２項の規定により特許を受けることができない。
　
４．本件補正発明についてのむすび
　以上のとおり、本件補正は、本件補正は、特許法第１７条の２第６項において準用する同法第１２６条第７項の規定に違反するので、同法第１５９条第１項の規定において読み替えて準用する同法第５３条第１項の規定により却下すべきものである。　
　
第３　本願発明について
（１）本願発明
　平成２６年１０月２０日付の手続補正は上記のとおり却下されたので、本願の請求項１に係る発明（以下、「本願発明」という。）は、出願当初の特許請求の範囲の請求項１に記載された事項により特定される、上記「第２　１．ア」の請求項１に記載されたとおりのものと認める。
　
（２）引用文献
　原査定の拒絶の理由に引用された引用文献（特開平１１−３３０５２１号公報）及びその記載事項（引用発明４）は、前記「第２　３（２）エ、（３）エ」に記載したとおりである。　
　
（３）対比・判断
　本願発明と引用発明４とを対比する。
　ア　引用発明４の「パネル状の太陽電池モジュール」において、「太陽電池素子１２０１」は、「インターコネクタ１２０６によって直列接続されて」いて、電気的出力が外部に取り出せる構造になっているから、引用発明４の「太陽電池素子１２０１」及び「パネル状の太陽電池モジュール」は、本願発明の「太陽電池セル」及び「太陽電池セルを複数接続して構成した太陽光発電パネル」にそれぞれ相当する。
　イ　引用発明４では、「各太陽電池モジュールのリードスイッチ１２０９に永久磁石等で磁界を加えて、発光ダイオード１２１２が点灯すれば正常であり、点灯しても通常よりも発光量が小さい場合や消灯している場合には、その太陽電池モジュールは故障していることで太陽電池モジュールが検査される」ことから、「発光ダイオード１２１２」は、太陽電池モジュールの正常か故障かの動作状態を表示する発光体であるということができ、引用発明４の「発光ダイオード１２１２」及び「外部から磁界を印加することで導通するリードスイッチ１２０９、発光ダイオード１２１２及び抵抗１２１３が直列に接続された電圧信号発生手段１２１０」は、本願発明の「太陽電池パネルの動作状態を表示する発光体」及び「太陽電池パネルの動作状態を表示する発光体を用いて構成した動作表示手段」に、それぞれ相当する。
　ウ　引用発明４の「直列に接続された太陽電池素子１２０１」からの「電気的出力が外部に取り出」される「端子箱１２０７」に実装された「バイパスダイオード１２０８」に対して、「外部から磁界を印加することで導通するリードスイッチ１２０９、発光ダイオード１２１２及び抵抗１２１３が直列に接続された電圧信号発生手段１２１０」が、並列に接続されていることは、本願発明の「動作表示手段を、太陽光発電パネルの出力端子と電気的に接続した」ことに相当する。
　エ　引用発明４の「電圧発生手段１２１０」は、「太陽電池モジュール」の近傍に設けられていて、「電圧発生手段１２１０」の「発光ダイオード１２１２」は、「太陽電池モジュール」の外部から視認可能となっていることは明らかであるから、引用発明４の「発光ダイオード１２１２」を備えた「電圧発生手段１２１０」が「太陽電池モジュールの近傍に設けられ」ていることは、本願発明の「該太陽光発電パネル若しくは該太陽光発電パネル近傍に設けて構成し、前記太陽光発電パネルの発電状態を外部から視認可能とした動作表示手段を備えた」ことに相当する。
　
　そうすると、本願発明と引用発明４とは、「太陽電池セルを複数接続して構成した太陽光発電パネルの動作状態を表示する発光体を用いて構成した動作表示手段を、該太陽光発電パネルの出力端子と電気的に接続し、該太陽光発電パネル若しくは該太陽光発電パネル近傍に設けて構成し、前記太陽光発電パネルの発電状態を外部から視認可能とした動作表示手段を備えた太陽光発電パネル。」である点で一致し、実質的な差異は見出せない。
　
第４　むすび
　以上のとおり、本願発明は、引用発明であって、特許法第２９条第１項第３号に該当し、特許を受けることができない。
　
　したがって、その余の請求項について論及するまでもなく、本願は拒絶すべきものである。　
　よって結論のとおり審決する。